(57)【要約】  本発明はペット用美容、医療及び浴槽システムに関するものである。  より詳しくは、本発明は家庭、動物病院、ペットショップでペットを簡単にお風呂、美容、医療を行うように提供されるペット用美容、医療及び浴槽システムに関するものである。特に本発明はペットにストレスを与えず、場所に関係なく、お風呂、美容（乾燥、染色、耳掃除など）又は医療（予防接種、検診、手術、薬浴など）を一層便利に提供することができるペット用美容、医療及び浴槽システムを提供する。  本発明によって、ペットの頭及び胴の動きを固定するための浴槽スタンド、前記浴槽スタンドを支え、浴槽スタンドの高低を調整するための浴槽スタンド高低調整台は、前記浴槽の底に設けられたことを特徴とするペット用美容、医療及び浴槽システムを提供する。  本発明によれば、ペットを場所にかかわらず、一場所でお風呂、美容、医療を便利に行うことができ、別途のドライヤー又は、シャワー機を使わなくても便利にペットを洗浄することができる。
2007512830.tif 000002
【特許請求の範囲】
【請求項１】
ペットの頭及び胴の動きを固定するための浴槽スタンドと、前記浴槽スタンドを支え、浴槽スタンドの高低を調整するための浴槽スタンド高低調整台と、内側に水を入れることができる浴槽を含み、前記浴槽スタンド高低調整台は、前記浴槽の底に付着するように設けられたことを特徴とするペット用美容、医療及び浴槽システム。
【請求項２】
請求項１において、前記浴槽スタンドは、ペットの頭が動けないように固定する頭支持台及び固定バンドと、ペットの首の大きさに応じて長さ及び角度を調整する首固定台と、ペットの大きさ（サイズ）に応じて長さを調整する胴の長さ調整台を含むことを特徴とするペット用美容、医療及び浴槽システム。
【請求項３】
請求項２において、前記首固定台は長さ調整ボタンと角度調整ボタンを具備することを特徴とするペット用美容、医療及び浴槽システム。
【請求項４】
請求項２において、前記胴の長さ調整台は、ペット胴のお腹部分を基準にして前脚と後脚との間隔を調整することを特徴とするペット用美容、医療及び浴槽システム。
【請求項５】
請求項２において、前記浴槽スタンドはペットの胴大きさに応じて角度調整及び幅の調整が可能であり、美容、医療又はお風呂時にペットの胴の左右をサイドで安全に支える胴サイド安全支持固定台をさらに含むことを特徴とするペット用美容、医療及び浴槽システム。
【請求項６】
請求項２において、前記浴槽スタンドは前記頭固定バンドに上下に移動可能となるように、ヒンジ結合された保護用キャップをさらに含むことを特徴とするペット用美容、医療及び浴槽システム。
【請求項７】
請求項１において、前記浴槽スタンドを３６０度回転させることができ、４段階の回転調整ができる浴槽スタンド回転台をさらに含むことを特徴とするペット用美容、医療及び浴槽システム。
【請求項８】
請求項１において、前記浴槽の高低調整台は、半自動方式又は自動方式で駆動されることを特徴とするペット用美容、医療及び浴槽システム。
【請求項９】
請求項８において、前記半自動方式は、空圧又は油圧を利用し、自動方式はモータ動力を利用することを特徴とするペット用美容、医療及び浴槽システム。
【請求項１０】
請求項１において、前記浴槽にはスパーシステムが設けられることを特徴とするペット用美容、医療及び浴槽システム。
【請求項１１】
請求項１において、前記浴槽には浴槽内の底の一側面に気泡発生器が設けられ、その他側面には濾過網が設けられた排水口が設けられたことを特徴とするペット用美容、医療及び浴槽システム。
【請求項１２】
請求項１において、前記浴槽の底にはエンボスされていることを特徴とするペット用美容、医療及び浴槽システム。
【請求項１３】
請求項１において、前記浴槽の底には熱線が内設されていることを特徴とするペット用美容、医療及び浴槽システム。
【請求項１４】
請求項１において、前記浴槽に収容された水の温度を測定し、浴槽内の水をあらかじめ設定された温度内に維持する自動温度調整装置をさらに具備することを特徴とするペット用美容、医療及び浴槽システム。
【請求項１５】
請求項１４において、前記浴槽の底に内設された熱線に流入される電力を制御することにより、浴槽内の水の温度をあらかじめ設定された温度内に維持することを特徴とするペット用美容、医療及び浴槽システム。
【請求項１６】
請求項１ないし１５のいずれかにおいて、前記浴槽の上板には楕円形レール及び、シャワー据置台が設けられ、前記シャワー据置台は前記楕円形レールに沿って、自由に移動可能なことを特徴とするペット用美容、医療及び浴槽システム。
【請求項１７】
請求項１６において、前記浴槽の上板の一側面と他側面には、シャンプー・リンス支持台及び、ボタン式スパー制御機がそれぞれ設けられ、前記浴槽の底部には泡立て器モータ及び充電式バッテリーが内蔵され、その一側面と他側面には浴槽の移動が容易となるように、ノンスリップ形態のタイヤが設けられた浴槽脚がそれぞれ設けられていることを特徴とするペット用美容、医療及び浴槽システム。
【請求項１８】
請求項１において、前記浴槽の内側上端の一側面には、ドライヤーアームが自由に回転可能となるように、ヒンジ結合されて設けられていることを特徴とするペット用美容、医療及び浴槽システム。
【請求項１９】
請求項１において、前記浴槽の内側上端の他側面には、シャワーアームが自由に回転可能となるように、ヒンジ結合されて設けられていることを特徴とするペット用美容、医療及び浴槽システム。
【請求項２０】
請求項１８又は１９において、前記ドライヤーアームとシャワーアームは、互いに結合可能なことを特徴とするペット用美容、医療及び浴槽システム。
【請求項２１】
請求項１８又は１９において、前記ドライヤーアーム又はシャワーアームは、浴槽内側の上端一側面に収納できることを特徴とするペット用美容、医療及び浴槽システム。
【請求項２２】
請求項１８又は１９において、前記ドライヤーアーム又はシャワーアームは、自由に移動可能となるように多数の回転関節を備えていることを特徴とするペット用美容、医療及び浴槽システム。
【請求項２３】
請求項１９において、前記シャワーアームは浴槽の底部に内設されたモータを利用し、浴槽内の水を引き上げてシャワーノズルに介して、循環噴射することを特徴とするペット用美容、医療及び浴槽システム。
【請求項２４】
請求項１９において、前記シャワーアームの端部には、シャワーを着脱式に装着できるシャワー据置台が設けられていることを特徴とするペット用美容、医療及び浴槽システム。
【請求項２５】
請求項１又は２３において、前記浴槽の底部には水を浄化するフィルタ装置が、さらに備えられていることを特徴とするペット用美容、医療及び浴槽システム。
【請求項２６】
請求項１において、前記浴槽の底部には電気分解装置、超音波発生装置及び、遠赤外線発生装置のいずれかが、さらに備えられていることを特徴とするペット用美容、医療及び浴槽システム。
【請求項２７】
ペットの頭及び胴の動きを固定するための浴槽スタンドと、前記浴槽スタンドを支えて浴槽スタンドの高低を調整するための浴槽スタンド高低調整台と、前記浴槽スタンド高低調整台を支持する支持台の役割をし、脚の両端にかけて連結されたサスペンションバーが設けられたスタンド脚部とを含むことを特徴とするペット用美容、医療及び浴槽システム。
【請求項２８】
請求項２７において、前記浴槽スタンドはペットの頭が動けないように固定する頭支持台及び固定バンドと、ペットの首大きさに応じて長さ及び角度を調整する首固定台と、ペットの大きさに応じて長さを調整する胴長さ調整台とを含むことを特徴とするペット用美容、医療及び浴槽システム。
【請求項２９】
請求項２８において、前記首固定台は長さ調整ボタンと角度調整ボタンを具備することを特徴とするペット用美容、医療及び浴槽システム。
【請求項３０】
請求項２８において、前記胴の長さ調整台は、ペット胴のお腹部分を基準にして前脚と後脚との間隔を調整することを特徴とするペット用美容、医療及び浴槽システム。
【請求項３１】
請求項２８において、前記浴槽スタンドは、ペットの胴大きさに応じて角度調整及び幅の調整が可能であり、美容、医療又はお風呂の時にペットの胴の左右をサイドで安全に支える胴サイド安全支持固定台をさらに含むことを特徴とするペット用美容、医療及び浴槽システム。
【請求項３２】
請求項２８において、前記浴槽スタンドは、前記頭支持台に上下に移動可能となるように、ヒンジ結合されたキャップをさらに含むことを特徴とするペット用美容、医療及び浴槽システム。
【請求項３３】
請求項２７において、前記浴槽スタンドを３６０度回転させることができ、４段階回転調整ができる浴槽スタンド回転台をさらに含むことを特徴とするペット用美容、医療及び浴槽システム。
【請求項３４】
請求項２７において、前記スタンド脚部は、サスペンションバーの設置によって水平調整が可能であり、脚の節と節の連結部位が関節形態として自由に広げることができ、且つ、折りたたむことができる構造であることを特徴とするペット用美容、医療及び浴槽システム。
【請求項３５】
請求項１又は２７において、前記浴槽スタンドの材質は、軟らかいプラスチック樹脂を使って、動きが強い頭支持台及び胴サイド安全支持固定台は、アルミニウム又はハードプラスチック樹脂を使って製作されたことを特徴とするペット用美容、医療及び浴槽システム。
【請求項３６】
請求項２７において、前記スタンド脚部は、脚の節と節の連結部位が関節形態で構成された折りたたみ式脚として、自由に折りたたむことができ、且つ、広げることができる構造となっていることを特徴とするペット用美容、医療及び浴槽システム。
【発明の詳細な説明】
【技術分野】
【０００１】
本発明は家庭、動物病院、ペットショップでペットを簡単にお風呂、美容、医療を行うようにペット用美容、医療及び浴槽システムに関するものであり、特にペットにストレスを与えず、場所にかかわらずお風呂、美容（乾燥、染色、耳掃除など）又は医療（予防接種、検診、手術、薬浴など）を一層便利に提供することができるペット用浴槽システムに関するものである。
【背景技術】
【０００２】
今、各家庭でペットや猫など多様な種類のペットを飼っている。このようなペットは人々に喜びを与えるが、お風呂、美容、医療を適切に行わないなどペット管理を疎かにする場合、蚤、ダニ、又は菌の媒介となるので、皮膚病などの病気を引き起こし、人に病を移す恐れがある。さらに、ペットの毛などはアレルギー及び周辺の環境を汚染する原因となる。
【０００３】
特に、マンションの住居環境で、もし、ペットによって病気や細菌などを媒介する場合、周辺の家庭にも被害を与えることになる。従って、ペットを飼う人々は定期的に衛生検査を行うように特に留意する必要がある。
【０００４】
従来のペットを洗浄する過程を見ると、まず、ペットを水が入った浴槽に入れ、ペットの目や鼻、口に水が入らないように片手でペットを握り、他の片手で水を注ぐか、シャワーを利用して洗浄した後、最後にドライヤーで毛を乾かす。
【０００５】
前記のように一般的にペットのお風呂の後、飼い主がヘアドライヤーで毛を乾かしていたが、このように毛を乾かす過程において、毛が抜けて飛び散ったり、床に落ちるなど非衛生的であるという短所もあった。
【０００６】
一方、現在国内に輸入されて一部の動物病院で使われるペット用お風呂装置は、一般庶民が購入するにはあまりにも高すぎ、経済的な負担が大きいので、今までは前述のようなお風呂方法を多く使っている。
【０００７】
特に、四季の冬にペットを温水で洗浄しても、毛をすばやく乾燥させないと風邪をひく確率が高く、そのペットが風邪をひくとよく治らなく、ひょっとすると肺炎になる恐れがある。
【０００８】
一方、従来のペット用浴槽は、ペットを洗浄する前にお湯を浴槽に入れた後、ペットを水が入った浴槽に入れて洗浄する方法を採用したが、この場合、時間が経つにつれて浴槽内の水が冷却され、ペットが急激な体温の変化にまともに対応できず、風邪、肺炎などの病気にかかることが多かった。また、従来のペット用浴槽は、浴槽とは別途に設けられた一般シャワーを利用してペットを洗浄する方法を採用したが、この場合は、シャワー機から引き続きお湯を供給してのみ洗浄できたので、水と電気の消費量が非常に多かった。
【発明の開示】
【発明が解決しようとする課題】
【０００９】
本発明は前記の問題点を解決するために案出されたものであり、本発明は浴槽スタンド、浴槽スタンドの高低調整台、及び浴槽で構成されたペット用浴槽システムを提供することで、ペットを場所にかかわらず一場所でお風呂、薬浴、乾燥することができ、さらに全身美容、耳掃除、染色、予防接種、及び治療までも便利に提供することに目的がある。
【００１０】
また、本発明は浴槽の底に熱線を内蔵することにより、お風呂中にペットが急激な体温変化による病気を減らすことに狙いがある。
【００１１】
一方、本発明は浴槽の内側上端の一側面にドライヤーアーム又はシャワーアームを自由に回転可能となるように設けることにより、別途のドライヤー又はシャワーを使わなくても簡単にペットをシャワー及び乾燥することに目的がある。
【００１２】
前記のように本発明のペット用美容、医療及び浴槽システムによれば、場所にかかわらず一場所でペットにお風呂、美容（乾燥、染色、耳掃除、マッサージなど）又は、医療（予防接種、検診、手術など）を下記のように一層便利に提供できる。
【００１３】
第１は、本発明はワンストップシステムとして使用者が簡単にペットを一場所でお風呂、乾燥、美容、薬浴、染色、耳掃除まで移動なしに便利に使うことができる。
【００１４】
第２は、使用者がペットの大きさと重さに関係なく、立っている姿勢で短い時間で効果的に美容、医療及びお風呂を便利に行うことができる。
【００１５】
第３は、浴槽スタンドの自由な高低調整、３６０度回転板、移動可能なシャワー据置台、回転可能なシャワーアーム又は、ドライヤーアームを利用して使用者が多様な角度で便利に且つ自由にペットを洗浄することができる。
【００１６】
第４は、ペットを浴槽スタンドの上に楽な姿勢に載せた状態で、簡単に美容、医療、洗浄することができるので、美容、医療、お風呂の時にペットが受けるストレスを最小化する。
【００１７】
第５は、ペットの胴を完全に持ち上げて回転機能を利用し、すべての部位を完全に乾燥させることができるので、皮膚病や病気にかかることを事前に予防することができる。
【００１８】
第６は、それぞれ異なる身体的条件を持っているペットのサイズに合わせ、浴槽スタンドの角度、幅、長さの調整が可能であるので、多様な種類のペットが使うことができる。
【００１９】
第７は、シャワーの時に保護用キャップを使って、水がペットの目、鼻、口などに流入することをあらかじめ遮断したので、お風呂の時に両手を自由自在に使ってペットの全身を洗浄することができる。
【００２０】
第８は、従来の一般的なお風呂方法より水、シャンプーなどを節約することができる。特に、浴槽内の水を循環的にリサイクルできるように構成することにより、水と電力の消費を画期的に減らすことができる。
【００２１】
第９は、浴槽の底部に熱線を内設して引き続き水を加熱する方法を採用したので、水の温度低下によるペットの病気、例えば、風邪又は肺炎などを事前に防止することができる。特に、熱線に流入する電力を適切に制御することにより、浴槽内の水の温度をあらかじめ設定された温度の範囲内に維持する。
【００２２】
第１０は、浴槽の内側上端の一側面にドライヤーアーム又はシャワーアームを自由に回転可能となるように設けることにより、乾燥又は洗浄する場合、ペット胴の局所部位までも簡単に乾燥又は洗浄することができる。また、ドライヤーアーム又はシャワーアームをペットの特定部位に向かうように位置することにより、使用者は両手を使ってペットを乾燥又は洗浄することができる。
【００２３】
第１１は、浴槽の底部に設けられた超音波発生器、遠赤外線発生器、及び電気分解装置を使用することにより、ペットをシャンプーなしに洗浄することができるとともに、ペットの体に寄生するダニ、細菌などを簡単に殺すことができる。
【課題を解決するための手段】
【００２４】
前記の目的を達成するための本発明は、ペットの頭及び胴の動きを固定するための浴槽スタンド、前記浴槽スタンドを支えて、浴槽スタンドの高低を調整するための浴槽スタンド高低調整台、及び内側に水を入れることができる浴槽を含み、前記浴槽スタンド高低調整台が前記浴槽の底に付着するように設けられたペット用美容及び浴槽システムを提供する。
【００２５】
本発明の好ましい実施例によれば、前記浴槽スタンドは、ペットの頭が動かないように固定する頭支持台及び、固定バンド、ペットの首の大きさに応じて長さ及び角度を調整する首固定台、及びペットの大きさに応じて長さを調整する胴長さ調整台を含むように構成される。
【００２６】
本発明のまた他の好ましい実施例によれば、ペットの頭及び胴の動きを固定するための浴槽スタンド、前記浴槽スタンドを支えて浴槽スタンドの高低を調整するための浴槽スタンド高低調整台と、前記浴槽スタンド高低調整台を支持する支持台の役割をし、脚部両端にかけて連結されたサスペンションバーが備えられたスタンド脚部を含むペット用浴槽システムを提供する。
【発明を実施するための最良の形態】
【００２７】
本発明で説明するペットとは、家でかわいがって飼える犬、猫、豚などの動物を意味する。
【００２８】
図１ないし図３は、本発明の実施例によるペット用美容、医療及び浴槽システムの断面図である。図４は本発明の実施例によるペット用美容、医療及び浴槽システムの平面図である。前記の図１ないし図４に示すように、本発明の好ましい実施例によるペット用美容、医療及び浴槽システムは、美容、医療、又はお風呂の時にペットの頭と胴の動きを固定するための浴槽スタンド（１００）、前記浴槽スタンド（１００）を支えて浴槽スタンド（１００）の高低を調整するための浴槽スタンド高低調整台（２００）と、内側に水を入れることができる浴槽（３００）を含む。そして、前記浴槽スタンド高低調整台（２００）は、前記浴槽の底に付着するように設けられる。
【００２９】
図５は、本発明の実施例によるペット用美容、医療及び浴槽システムに設けられた浴槽スタンドの骨格斜視図である。図６は、前記図５の浴槽スタンドの頭固定バンドにヒンジ結合されている保護用キャップの具体的構成及び、使用状態図を示す図である。図７は、図５の浴槽スタンドに示されたＡ、Ｂ、Ｃ、Ｄ連結部分の詳細図である。図８は、図５の浴槽スタンドに示された頭固定の高さ調整ボタンの他の実施例である。
【００３０】
浴槽スタンド（１００）は、図５に示すように、頭支持台（１１１）及び、固定バンド（１１２）（Ａ）、首固定台（１２０）（Ｂ、Ｃ）、胴サイド安全支持固定台（１３０）（Ｄ）、胴長さ調整台（１４０）、及び浴槽スタンド回転台（１５０）を含むように構成される。
【００３１】
この時、前記浴槽スタンド（１００）の材質は、軟らかいプラスチック樹脂（例えば、ＡＢＳ 樹脂、イオン交換樹脂など）を使い、動きが強い頭支持台（１１１）及び胴サイド安全支持固定台（１３０）は、アルミニウム又はハードプラスチック樹脂を使って製作することが好ましい。
【００３２】
さらに詳しく説明すると、ペット用頭支持台（１１１）及び固定バンド（１１２）（Ａ）は、美容、医療又はお風呂の時にペットの頭が動かないように固定する機能を有する。この時、前記固定バンド（１１２）は、図７（ａ）に示すようにペットの頭の大きさに応じてバンド調整が容易できるようにクリップ（Ｃlip） 形態で構成する。例えば、ペットの頭が大きい場合はクリップを容易に調整してバンドの長さを伸ばすことができる。
【００３３】
首固定台（１２０）（Ｂ、Ｃ）は、ペットの首の大きさに応じて長さ及び角度を調整する機能を有し、図７（ｂ）及び（ｃ）に示すように高さ調整ボタン（１２１）と、角度調整ボタン（１２２）が設けられている。
【００３４】
この時、前記高さ調整ボタン（１２１）は、容易に高さを調整するようにボタン式歯車の取っ手形態（図７の （ｂ））又は、締め方式の取っ手形態（図８の（ａ））又は、締め方式歯車の取っ手形態（図８の（ｂ））に構成することができる。
【００３５】
前記角度調整ボタン（１２２）は、３段階調整が可能にし、調整が容易にボタン式で構成することができる。
【００３６】
胴サイド安全支持固定台（１３０）は、ペットの胴の大きさに応じて角度調整及び幅の調整が可能であり、美容、医療又はお風呂の時にペットの胴の左右をサイドで安全に支える役目を果す。
【００３７】
この時、前記胴サイド安全支持固定台（１３０）に形成された角度調整の関節ボタンは、図７の（ｄ）に示すように角度調整が一度に可能となるように、関節形態に製作してこれも操作が簡単にボタン式で構成する。
【００３８】
胴の長さ調整台（１４０）は、ペットの大きさに応じて長さ調整が可能となるように構成され、特にペット胴のお腹部分を基準に前足と後足との間隔を調整することができる。
【００３９】
浴槽スタンド回転台（１５０）は、浴槽スタンド（１００）を３６０度回転させることができ、４段階回転調整（左右前後）が可能である。従って、お風呂、美容、治療の時に浴槽スタンドを前後左右に回転しながら行うことができるので、非常に便利である。
【００４０】
前記浴槽高低調整台（２００）は、３段高さ調整でペットの大きさと重さに関係なく、自由に上下することができる機能を有する。
【００４１】
また、高低機能の使用前にも図１０に示すようにペットの足が浴槽の底に届かなく、浴槽に水を入れる場合にペットの背中まで水が上って来て、全身が浴槽に浸かる状態でお風呂（薬浴及びマッサージなど）ができる。
【００４２】
そして、高低機能を利用してペットが最高の高さに上がる場合に度９に示すように、ペットの足が浴槽の上板に触れないので回転が容易である。
【００４３】
前記構造のようなペット用美容、医療及び浴槽システムは、図２に示すように使用完了後には、浴槽スタンドの上板を浴槽の中に便利に折りたたんで保管することができる。
【００４４】
また、図６の（ａ）に示すように、頭固定バンド（１１２）部分にヒンジ結合されるように保護用キャップ（１６０）を設けることにより、シャワーの時に水がペットの目、鼻、口などに入ることを防止することができる。特に、図６の（ａ）及び（ｂ）に矢印で表示されているように、ヒンジ軸（１７０）を基準に保護用キャップ（１６０）を回転させることにより、ペットに保護用キャップ（１６０）をかぶせるか、又は脱ぐことができる。また、クリップの簡単な作動により前記保護用キャップ（１６０）の長さを調整することができる。
【００４５】
一方、図１ないし図４を参照して浴槽（３００）の構造を詳しく説明すると、浴槽内の底の一側面には気泡発生器（３１０）が設置され、その他側面には濾過網（３２１）が設けられた排水口（３２０）が設けられており、浴槽の底にエンボスされている。
【００４６】
前記気泡発生器（３１０）は、浴槽内に設けられた２個の気泡発生器を利用して３段階調整（強、中、弱）が可能であり、ボタン式スパー制御機（３６０）のタイマー機能により調整される。この時、気泡発生器ソケットは、後述する図１１及び図１２に示す符号３１５である。
【００４７】
前記排水口（３２０）にはペットの微細な毛までも完全に濾過する３段階濾過網（３２１）が設けられている。
【００４８】
また、浴槽の底はペットのすべり防止のためにエンボスゴムとなっている。
【００４９】
そして、浴槽（３００）の上板には、楕円形レール（３３０）及びシャワー据置台（３４０）が設けられ、その一側面と他側面にはシャンプー・リンス支持台（３５０）と、ボタン式スパー制御機（３６０）とが設けられている。
【００５０】
この時、前記シャンプー・リンス支持台（３５０）の下部にはパック挿入網が収納できるパック収納空間が形成され、これをボタン操作により開閉するように設けることができる。
【００５１】
前記浴槽の上板には楕円形レール（３３０）が設けられており、前記楕円形レール（３３０）のガイド部にはシャワー据置台（３４０）がかけられるように構成される。従って、シャワー据置台（３４０）を前記楕円形レール（３３０）に沿って自由に移動可能であり、シャワーの角度調整及び回転も可能である。また、便利に使用するためのシャンプー、リンス、タオル掛けが上板の据置台に設けられている。
【００５２】
前記ボタン式スパー制御機（３６０）は、スパー機能を（強、中、弱）に容易に調整できるボタン式制御板に形成されている。
【００５３】
また、浴槽（３００）の底部には、泡立て器モータ（３７０）及び充電式バッテリー（３７５）が内蔵されており、その一側面と他側面には、浴槽（３００）の移動が容易となるように、ノンスリップ形態のタイヤ（３８０）が設けられた浴槽脚（３８５）がそれぞれ設けられている。
【００５４】
この時、前記浴槽脚（３８５）は、図２に示すように折りたたみ式脚として、浴槽保管時に脚の部分を折り畳んで便利に保管することができ、折りたたんだ脚の後ろにタイヤ（３８０）が付着されており、移動が便利である。また、水平調整の機能があるので、平面ではない底においた時に浴槽の水平調整及びすべりを防止する。
【００５５】
前記のように浴槽構造によって薬浴、マッサージ及び泡のお風呂ができるスパー（spar）システムを実現することができる。
【００５６】
すなわち、スパーシステムの薬浴機能は、浴槽に水を適当に入れて薬用シャンプー又は、薬浴ペックを入れた後、気泡を発生させることにより、ペットの肌深く薬物が浸透し、各種ダニ及び肌疾患を事前に予防して治療する効果がある。
【００５７】
マッサージ機能は、入浴の時に発生する気泡で、ペットの筋肉を弛緩させてダイエットと共にマッサージ効果がある。
【００５８】
泡のお風呂の機能は、ペットに良い薬剤やアロマ香などを入れ、動物から発生する特有のにおいを抑えて香ばしい香が長く残る。
【００５９】
図９は、本発明の実施例によるペット用美容、医療及び浴槽システムを用いて、ペットを乾燥する場合を示す図である。
【００６０】
図９に示すようにお風呂の後、乾燥をする時に浴槽スタンド（１００）は、角度及び高低調整が自由にできるので、大きさが異なるペットも便利に利用できる。特に、お風呂の後に乾燥の時に浴槽スタンドを適当な高さに上げた後、３６０度自由に回転させながら簡単に乾燥することができる。
【００６１】
図１０は本発明の実施例によるペット用美容、医療及び浴槽システムを用いて、ペットを洗浄する場合を示す図である。
【００６２】
図１０に示すようにお風呂の時に浴槽スタンド（１００）は、スパー（spar）システム機能を利用し、マッサージ、泡、洗浄、薬浴及び湿布効果など多様なお風呂の効果を収めることができる。
【００６３】
図１１及び図１２は、本発明の実施例によるペット用美容、医療及び浴槽システムの浴槽スタンド高低調整台を調整するペダル型の実施例を示す図面である。
【００６４】
本発明による浴槽スタンド高低調整台（２００）は半自動方式と自動方式で駆動できる。すなわち、半自動方式は図１１及び図１２に示すように高さ調整ペダル（４００）を使った半自動空圧又は油圧シリンダー機能を使用する。
【００６５】
そして、自動方式はモータ動力を利用することにより、動作ボタンを具備して容易に利用するように構成される。本発明では自動又は半自動二つとも適用可能である。
【００６６】
図１３は、本発明の実施例によるペット用美容、医療及び浴槽システムの浴槽の底に内設される熱線を示すための断面図である。図１４は、図１３に示すペット用美容、医療及び浴槽システムに内設された熱線を示すための投射平面図である。
【００６７】
図１３及び図１４に示すように、浴槽の底には熱線（５００）が内蔵されるように設けられている。熱線（５００）は、図に示されていない熱線制御ボタンのオン又はオフの選択により、電源を印加されて浴槽内の水をあらかじめ設定された温度まで加熱し、その設定温度に継続維持する動作が可能である。一方、前記浴槽には浴槽内の水の温度を測定し、浴槽内の水をあらかじめ設定された温度内に維持する自動温度調整装置がさらに備えられている。特に、前記熱線に流入される電力を制御することにより、浴槽内の水の温度をあらかじめ設定された温度内に容易に維持することができる。
【００６８】
図１５は、本発明の実施例によるペット用美容、医療及び浴槽システムのドライヤーアーム及びシャワーアームを示す斜視図である。図１６は、本発明の実施例によるペット用美容、医療及び浴槽システムのドライヤーアーム及びシャワーアームの具体的な構成を示す詳細図である。
【００６９】
図１５に示すように、浴槽の内側の上端一側面にドライヤーアーム（５１０）又はシャワーアーム（５３０）が自由に回転可能となるようにヒンジ結合されている。図１６（ａ）に示すように、ドライヤーアーム（５１０）は、自由に移動可能となるように多数の回転関節（５１４、５１６、５１８）を具備する。このようにドライヤーアーム（５１０）が自由に回転可能となるように構成されたので、浴槽使用者はドライヤーアーム（５１０）を回転させながら、ペットのボディのすべての部位を簡単に乾燥させることができる。特に、使用者は乾燥を望む特定部位にドライヤーアーム（５１０）の乾燥噴射口（５１２）が向かうように位置させた後,、両手を使って自由に毛を乾燥させることができる。 一方、図１６（ｂ）に示すようにシャワーアーム（５３０）は、ドライヤーアーム（５１０）と同様に自由に移動可能となるように多数の回転関節（５３４、５３６、５３８）を備える。このようにシャワーアーム（５３０）が自由に回転可能となるように構成されたので、浴槽使用者はシャワーアーム（５３０）を回転させながら、ペットボディのすべての部位を容易に洗浄することができる。特に、使用者は洗浄を希望する特定部位にシャワーアーム（５３０）のシャワーノズル（５３２）が向かうように位置させた後、両手を使って自由に洗浄することができる。また、図に示されていないが、前記シャワーアーム（５３０）の端部にはシャワーを着脱式に装着できるシャワー据置台が設けられる。
【００７０】
一方、この場合、シャワーノズル（５３２）を介して噴射される水は、浴槽内に設けられたスパーシステムのモータ又は、別途のモータによって浴槽から給水される水である。すなわち、外部からの水の供給がなくても、浴槽内の水を引き上げ、シャワーノズルを介して循環噴射することにより、水をリサイクルして使うことができる。従って、従来には別途のシャワーを利用して洗浄する方法とは異なり、かなりの量の水を節約することができる。そして、図に示されていないが、浴槽の底部には超音波又は、遠赤外線を発生させてダニ、細菌及び害虫を殺す超音波発生器及び遠赤外線発生器を追加的に装着することができる。また、浴槽の底部に電気分解装置を設置してペットの体を洗浄できることは勿論、ペットに寄生するダニ、細菌なども除去できる。特に、前に説明した超音波発生器、遠赤外線発生器及び、電気分解装置を複合的に活用することにより、ペット用シャンプーを使わなくてもペットを洗浄することができ、ペットに寄生するダニ、細菌等を除去するので、皮膚病のような病気を事前に防止することができる。一方、浴槽の底部に多様な種類のフィルタ装置を装着して水を引き続き浄化する機能を有する。前記フィルタ装置は例えば、カーボンフィルタ、マイクロフィルタ、逆浸透フィルタ、イオン交換樹脂フィルタ、セラミックスフィルタなど浄水器に一般的に使われる多様な種類のフィルタのいずかが含まれる。浴槽内の水が浴槽の底部に備えているモータによって引き上げられる場合に水に含まれたペット毛又は、不純物などが、前記フィルタ装置によって濾過されるか、浄化するように構成することにより、シャワーアームに設けられたシャワーノズルから噴射される水が常に清浄な状態に保たれる。
【００７１】
図１７は、本発明の実施例によるペット用美容、医療及び浴槽システムのドライヤーアームと、シャワーアームが互いに結合された構造を示す斜視図である。図１８は、本発明の実施例によるペット用美容、医療及び浴槽システムのドライヤーアームと、シャワーアームが作動する過程を示す動作状態図である。
【００７２】
図１７に示すように、ドライヤーアーム（５１０）とシャワーアーム（５３０）は、互いに結合されることができる。互いに結合されたドライヤーアーム（５１０）及びシャワーアーム（５３０）は、図１８に示すように長さ方向に延長可能であり、また、回転軸を基準にして前後方に回転可能となるように構成される。一方、前記延長機能及び、回転機能を浴槽制御手段（５４０）によって制御することができ、特に図１８に示していない駆動手段を利用して浴槽の長さを自由に調節できるようにし、ペットの大きさに関係なく使用できるようにする。
【００７３】
図１９は、本発明の実施例によるペット用美容、医療及び浴槽システムのドライヤーアームとシャワーアームが、浴槽上端の側面に収納された状態を示す斜視図である。浴槽使用を完了した場合、図１９に示すようにドライヤーアーム（５１０）及びシャワーアーム（５３０）が浴槽上端の側面に収納される構造を採用することにより、簡便に保管でき、かつ、保管時に体積を最小化した。一方、電源プラグの巻きボタン（５７０）を電源入力部の周りに設け、ボタンを押す場合に電源プラグ（５６０）が自動的に巻かれるように構成する。
【００７４】
図２０及び図２１は、それぞれ本発明の他の実施例によるペット用美容、医療、及び浴槽システムの開かれた状態と、折りたたんだ状態を示す斜視図である。
【００７５】
図２０に示すように、本発明の実施例によるペット用美容、医療及び浴槽システムは、お風呂、美容又は治療時にペットの頭及び、胴の動きを固定するための浴槽スタンド（１１００）、前記浴槽スタンド（１１００）を支えて浴槽スタンド（１１００）の高低を調整するための浴槽スタンド高低調整台（１２００）と、前記浴槽スタンド高低調整台（１２００）を支持する支持台の役割をし、脚の両端にかけて連結されたサスペンションバー（Suspension Bar）が設けられたスタンド脚部（１３００）を含むように構成される。前記浴槽スタンド（１１００）の具体的な構成は、前述した図５を参照して詳しく説明したので、ここでは説明を省略する。
【００７６】
図２２は、本発明によるペット用美容、医療及び浴槽システムは、スタンド脚部を示す斜視図である。
【００７７】
図２２に示すように、スタンド脚部（１３００）は、両端にかけて連結されたサスペンションバーの設置によって水平を維持し、その結果、ペットの着席時に便利さを提供することができる。また、スタンド脚部（１３００）は、折りたたみ式脚として使用後保管時に脚の部分を折りたたんで便利に保管することができる。
【００７８】
図２３は、図２２に示すスタンド脚部を折りたたむ方法を示す作動状態図である。図２３の（a）、（b）、（c）に示すようにスタンド脚部（１３００）は、脚の節と節の連結部位が関節形態で構成され、自由に広げることができ、かつ、折りたたむことができる。
【００７９】
したがって、浴槽使用を完了した場合、図２１に示すように浴槽スタンド（１１００）、浴槽スタンド高低調整部（１２００）及び、スタンド脚部（１３００）を折りたたんで、体積を最小化した後、便利に保管することができる。
【００８０】
図２４は、本発明の実施例によるペット用美容、医療及び浴槽システムの使用状態図である。図２４に示すように、本発明によるペット用美容、医療及び浴槽システムを用いて、場所に関係なく、お風呂、美容、医療を便利で安全に利用できる。
【産業上の利用可能性】
【００８１】
以上では、本発明を特定の好ましい実施例を参照して図に示して説明したが、本発明は、前記の実施例に限定されるものではなく、本発明の技術的思想を脱しない範囲内で発明が属する技術分野で、通常の知識を有する者によって多様な変更と修正が可能である。したがって、例えば、当業者であれば、本発明の思想及び範囲内で図に示した浴槽スタンドなどの構成を変形、修正することができ、本発明は後述する請求の範囲だけで制限される。
【図面の簡単な説明】
【００８２】
【図１】本発明の実施例によるペット用美容、医療及び浴槽システムの断面図。
【図２】本発明の実施例によるペット用美容、医療及び浴槽システムの断面図。
【図３】本発明の実施例によるペット用美容、医療及び浴槽システムの断面図。
【図４】本発明の実施例によるペット用美容、医療及び浴槽システムの平面図。
【図５】本発明の実施例によるペット用美容、医療及び浴槽システムに設けられた浴槽スタンドの骨格斜視図。
【図６】図５の浴槽スタンドの頭固定バンドにヒンジ結合されている保護用キャップの具体的構成及び、使用状態図を示す図。
【図７】図５の浴槽スタンドに示されたＡ、Ｂ、Ｃ、Ｄ連結部分の詳細図。
【図８】図５の浴槽スタンドに示された頭固定の高さ調整ボタンの他の実施例。
【図９】本発明の実施例によるペット用美容、医療及び浴槽システムを用いて、ペットを乾燥する場合を示す図。
【図１０】本発明の実施例によるペット用美容、医療及び浴槽システムを用いて、ペットを洗浄する場合を示す図。
【図１１】本発明の実施例によるペット用美容、医療及び浴槽システムの浴槽スタンド高低調整台を調整するペダル型の実施例を示す図面。
【図１２】本発明の実施例によるペット用美容、医療及び浴槽システムの浴槽スタンド高低調整台を調整するペダル型の実施例を示す図面。
【図１３】本発明の実施例によるペット用美容、医療及び浴槽システムの浴槽の底に内設される熱線を示すための断面図。
【図１４】図３に示すペット用美容、医療及び浴槽システムに内設された熱線を示すための投射平面図。
【図１５】本発明の実施例によるペット用美容、医療及び浴槽システムのドライヤーアーム及びシャワーアームを示す斜視図。
【図１６】本発明の実施例によるペット用美容、医療及び浴槽システムのドライヤーアーム及びシャワーアームの具体的な構成を示す詳細図。
【図１７】本発明の実施例によるペット用美容、医療及び浴槽システムのドライヤーアームとシャワーアームが結合された構造を示す斜視図。
【図１８】本発明の実施例によるペット用美容、医療及び浴槽システムのドライヤーアームとシャワーアームが作動する過程を示す動作状態図。
【図１９】本発明の実施例によるペット用美容、医療及び浴槽システムのドライヤーアームとシャワーアームが浴槽の側面に収納された状態を示す斜視図。
【図２０】本発明の他の実施例によるペット用美容、医療及び浴槽システムの開かれた状態と、折りたたんだ状態を示す斜視図。
【図２１】本発明の他の実施例によるペット用美容、医療及び浴槽システムの開かれた状態と、折りたたんだ状態を示す斜視図。
【図２２】本発明によるペット用美容、医療及び浴槽システムのスタンド脚部を示す斜視図。
【図２３】図２２に示すスタンド脚部を折りたたむ方法を示す作動状態図。
【図２４】本発明の実施例によるペット用美容、医療及び浴槽システムの使用状態図。
【図１】
2007512830.tif 000003
【図２】
2007512830.tif 000004
【図３】
2007512830.tif 000005
【図４】
2007512830.tif 000006
【図５】
2007512830.tif 000007
【図６】
2007512830.tif 000008
【図７】
2007512830.tif 000009
【図８】
2007512830.tif 000010
【図９】
2007512830.tif 000011
【図１０】
2007512830.tif 000012
【図１１】
2007512830.tif 000013
【図１２】
2007512830.tif 000014
【図１３】
2007512830.tif 000015
【図１４】
2007512830.tif 000016
【図１５】
2007512830.tif 000017
【図１６】
2007512830.tif 000018
【図１７】
2007512830.tif 000019
【図１８】
2007512830.tif 000020
【図１９】
2007512830.tif 000021
【図２０】
2007512830.tif 000022
【図２１】
2007512830.tif 000023
【図２２】
2007512830.tif 000024
【図２３】
2007512830.tif 000025
【図２４】
2007512830.tif 000026
【国際調査報告】
2007512830.tif 000027